【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
コンピュータに実装した方法において：
（ａ）時系列データセットの電子的兆候をコンピュータシステムで自動的に受信するステップであって、
（ｉ）複数の規定したデータフィールドの各々について、前記時系列データセットが一又はそれ以上の対応するフィールド値（ＦＶ）データストリングを具え、
（ｉｉ）前記時系列データセットが、複数のフィールド値時間インデックス（ＦＶＴＩ）データストリングを具え、
（ｉｉｉ）前記ＦＶデータストリングの各々が、前記ＦＶデータストリングで表される情報が取得された、測定された、生成された、あるいは記録された時間を表わす複数のＦＶＴＩデータストリングのうちの対応する一つに関連している、 
ステップと：
（ｂ）プログラムされたコンピュータシステムの一又はそれ以上の電子プロセッサによって、時系列データセットの電子的兆候を使用して、複数の時間スライスデータセットの電子的兆候を自動的に生成するステップであって、
（ｉ）前記複数の時間スライスデータセットの各々が、指定した時間スライス時間インデックス（ＴＳＴＩ）に対応しており、これは、前記複数の時間スライスデータセットの他の少なくとも一つの対応するＴＳＴＩと異なり、
（ｉｉ）前記複数の規定したデータフィールドの複数の指定したサブセットの各々について、各時間スライスデータセットが、対応する時間スライスデータサブセットを具えており、
（ｉｉｉ）各時間スライスデータサブセットが、前記複数のデータフィールドの対応する指定したサブセットの各データフィールドについて、（Ａ）前記時系列データセットからの対応する単一ＦＶデータストリングか、より早いＴＳＴＩを有する対応する時間スライスデータサブセットの対応するＦＶデータストリングを直接的に、あるいは一又はそれ以上の中間ポインタを介して表示するポインタのいずれか、及び（Ｂ）前記（Ａ）に含まれるあるいは表示されるＦＶデータストリングについて、時系列データセットからの関連するＦＶＴＩデータストリングか、又は、直接あるいは一又はそれ以上の中間ポインタを介して、より早いＴＳＴＩを有する対応する時間スライスデータサブセット中の対応する関連ＦＶＴＩデータストリングを表わすポインタのいずれか、を具え、
（ｉｖ）各時間スライスデータサブセット中に含まれる、あるいはそのポインタによって表示される各ＦＶＴＩデータストリングが、関連するＦＶデータストリングについて、前記時間スライスデータサブセットのＴＳＴＩより早い時系列データセット中の最も遅いＦＶＴＩを表している、
ステップと；
（ｃ）前記コンピュータシステムの一又はそれ以上の電子プロセッサに操作可能に接続されたコンピュータシステムの有形かつ非一時的なコンピュータで読み取り可能な一又はそれ以上の媒体に、前記（ｂ）で生成した電子的兆候をコンピュータで検索可能なフォーマットで自動的に保存するステップと；
を具えることを特徴とするコンピュータに実装した方法。
【請求項２】
請求項１に記載のコンピュータに実装した方法において、特定のＴＳＴＩによって表示された時間と同じ時間を表示するＦＶＴＩが、特定のＴＳＴＩより早いものとして処理されるＦＶＴＩ中に含まれていることを特徴とするコンピュータに実装した方法。
【請求項３】
請求項１に記載のコンピュータに実装した方法において、特定のＴＳＴＩによって表示された時間と同じ時間を表示するＦＶＴＩが、特定のＴＳＴＩより遅いものとして処理されたＦＶＴＩ中に含まれていることを特徴とするコンピュータに実装した方法。
【請求項４】
請求項１に記載のコンピュータに実装した方法において、各時間スライスデータサブセット中の各ポインタが、対応するデータストリング又は次に早い時間スライスデータセット中の対応する時間スライスデータサブセットのポインタを直接表示していることを特徴とするコンピュータに実装した方法。
【請求項５】
請求項１に記載のコンピュータに実装した方法において、各時間スライスデータサブセット中の各ポインタが、対応するＴＳＴＩより早い対応するデータストリングを含む時間スライスデータサブセット中の、最も遅い対応するＴＳＴＩを有する対応する時間スライスデータサブセットの対応するデータストリングを直接表示していることを特徴とするコンピュータに実装した方法。
【請求項６】
請求項１に記載のコンピュータに実装した方法において、第１のＴＳＴＩを有する少なくとも一の時間スライスデータサブセットの少なくとも一のポインタについて、（Ａ）少なくとも一のポインタが、対応するデータストリング、又は第１のＴＳＴＩより早い第２のＴＳＴＩを有する、より早い時間スライスデータセットの対応する時間スライスデータサブセットの対応するデータストリング又はポインタを直接表示している、及び（Ｂ）複数の時間スライスデータセットが、第１のＴＳＴＩより早く、第２のＴＳＴＩより遅い中間ＴＳＴＩを有する、少なくとも一の中間時間スライスデータセットを具えることを特徴とするコンピュータに実装した方法。
【請求項７】
請求項１に記載のコンピュータに実装した方法において、各時間スライスデータサブセットが、対応する指定したデータフィールドサブセットの各データフィールドについて、（ｉ）ＦＶデータストリングと、関連ＦＶＴＩデータストリング、あるいは（ｉｉ）対応するより早い時間スライスデータサブセットの対応するＦＶデータストリングへのポインタと、対応するより早い時間スライスデータサブセットの対応するＦＶＴＩデータストリングへのポインタ、のいずれかを有することを特徴とするコンピュータに実装した方法。
【請求項８】
請求項７に記載のコンピュータに実装した方法において、一又はそれ以上のポインタを有する各時間スライスデータサブセットが、対応するより早い時間スライスデータサブセット全体を表示する単一ポインタのみを具えることを特徴とするコンピュータに実装した方法。
【請求項９】
請求項１に記載のコンピュータに実装した方法において、複数の時間スライスデータセットが、他の複数の時間スライスデータセットの各々の対応するＴＳＴＩより早く、最も早いＴＳＴＩに対応する最も早い時間スライスデータセットを具え、この最も早いＴＳＴＩが時系列データセットのすべてのＦＶＴＩより早く、最も早い時間スライスデータセットのすべての時間スライスデータサブセットが、一又はそれ以上のデータストリングを具えており、ポインタは具えていないことを特徴とするコンピュータに実装した方法。
【請求項１０】
請求項１に記載のコンピュータに実装した方法において、複数の時間スライスデータセットが、他の複数の時間スライスデータセットの各々の対応するＴＳＴＩより遅く、最も遅いＴＳＴＩに対応する最も遅い時間スライスデータセットを具え、この最も遅いＴＳＴＩが時系列データセットの各ＦＶＴＩより遅く、最も遅い時間スライスデータセットのすべての時間スライスデータサブセットが、一又はそれ以上のポインタを具えており、データストリングは具えていないことを特徴とするコンピュータに実装した方法。
【請求項１１】
一又はそれ以上の電子プロセッサと、各々が前記プロセッサの一又はそれ以上に操作可能に接続された一又はそれ以上の有形で非一時的なコンピュータで読み取り可能な媒体とを具えるコンピュータシステムにおいて、前記コンピュータシステムが、請求項１に記載の方法を実行するように構成され、接続され、プログラムされていることを特徴とするコンピュータシステム。
【請求項１２】
コンピュータシステムに適用した時に、当該コンピュータシステムに請求項１に記載の方法を実行させるインストラクションの電子的兆候でエンコードされた、有形で非一時的なコンピュータで読み取り可能な媒体。
【請求項１３】
請求項１に記載した方法によって生成した複数の時間スライスデータセットの電子的兆候でエンコードした有形で非一時的なコンピュータで読み取り可能な媒体。
【請求項１４】
請求項１に記載のコンピュータに実装した方法が更に：
（ｄ）プログラムされたコンピュータシステムの一又はそれ以上の電子プロセッサを用いて、新しく指定されたＴＳＴＩより早い複数の時間スライスデータセット中に生じた最も遅いＴＳＴＩを自動的に決定するステップと；
（ｅ）プログラムされたコンピュータシステムの一又はそれ以上の電子プロセッサを用いて、複数の規定されたデータフィールドの各々について、上記（ｄ）で決定した最も遅いＴＳＴＩより遅く、新しく指定されたＴＳＴＩより早い、時系列データセットの最も遅いＦＶＴＩを表示する対応ＦＶＴＩデータストリングを自動的に認識するステップと；
（ｆ）プログラムされたコンピュータシステムの一又はそれ以上の電子プロセッサを用いて、少なくとも一の対応する最も遅いＦＶＴＩデータストリングが上記（ｅ）で認識されている複数のデータフィールドの各指定されたサブセットについて、新しい時間スライスデータセットの対応する時間スライスデータサブセット中に、（ｉ）各認識した最も遅いＦＶＴＩデータストリングと関連ＦＶデータストリングと、（ｉｉ）上記（ｅ）においてＦＶＴＩデータストリングが認識されなかった指定したサブセットの各データフィールドについて、一又はそれ以上のＦＶデータストリング、一又はそれ以上のＦＶＴＩデータストリング、又は、新しいＴＳＴＩより早い時系列データセット中の最も遅いＦＶＴＩと、関連ＦＶデータストリングを表す一又はそれ以上のポインタ、を自動的に具えるステップと；
（ｇ）プログラムされたコンピュータシステムの一又はそれ以上の電子プロセッサを用いて、対応するＦＶＴＩデータストリングが上記（ｅ）で認識されていない複数のデータフィールドの各指定したサブセットについて、新しい時間スライスデータセットの対応する時間スライスデータサブセット中に、一又はそれ以上のデータストリング又は、より早いＴＳＴＩを伴う対応する時間スライスデータサブセット中に、新しいＴＳＴＩより早い最も遅いＦＶＴＩデータストリングと、関連するＦＶデータストリングとを集合的に表示する一又はそれ以上のポインタを、自動的に具えるステップと；
（ｈ）コンピュータシステムの一又はそれ以上の電子プロセッサに操作可能に接続されたコンピュータシステムの、一又はそれ以上の有形かつ非一時的なコンピュータで読み取り可能な媒体に、上記（ｆ）及び（ｇ）の時間スライスデータサブセットを具え、新しく指定したＴＳＴＩに対応する、新しい時間スライスデータセットの電子的兆候を自動的に生成し、コンピュータで検索可能なフォーマットで自動的に保存するステップと；
を具えることを特徴とするコンピュータに実装した方法。
【請求項１５】
請求項１４に記載のコンピュータに実装した方法において：上記（ｆ）が、プログラムされたコンピュータシステムの一又はそれ以上の電子プロセッサを用いて、上記（ｅ）で少なくとも一の対応する最も遅いＦＶＴＩデータストリングが認識される複数のデータフィールドの各指定されたサブセットについて、新しい時間スライスデータセットの対応する時間スライスデータサブセット中に、指定されたサブセットのデータフィールドの各々について、対応するＦＶデータストリングと、新しいＴＳＴＩより早く、最も遅いＦＶＴＩに対応する関連ＦＶＴＩデータストリングとを自動的に具える、ステップを具えることを特徴とするコンピュータに実装した方法。
【請求項１６】
請求項１４に記載のコンピュータに実装した方法において、上記（ｅ）の認識が、時系列データセットの電子的兆候に自動的に電子的にクエリを行って、上記（ｄ）で決定した最も遅いＴＳＴＩより遅く、新しく指定したＴＳＴＩより早い対応するＦＶＴＩデータストリングを認識するステップを具えることを特徴とするコンピュータに実装した方法。
【請求項１７】
請求項１６に記載のコンピュータに実装した方法において、上記（ｅ）の認識が、複数の規定したデータフィールドの各々について、プログラムされたコンピュータシステムの一又はそれ以上の電子プロセッサを用いて、（Ａ）新しい指定されたＴＳＴＩより遅い時間スライスデータセット中の最も早いＴＳＴＩを決定するステップと、（Ｂ）上記（Ａ）で決定したＴＳＴＩを有する対応する時間スライスデータサブセットがポインタを具える各フィールドについて、時系列データセットの電子クエリからそのフィールドを除外して、そのポインタで表示される対応するＦＶＴＩを、最も遅いＦＶＴＩとして認識するステップと、を具えることを特徴とするコンピュータに実装した方法。
【請求項１８】
請求項１６に記載のコンピュータに実装した方法において、上記（ｅ）の認識が、複数の規定したデータフィールドの各々について、プログラムされたコンピュータシステムの一又はそれ以上の電子プロセッサを用いて、（Ａ）新しく指定したＴＳＴＩより遅い時間スライスデータセット中の最も早いＴＳＴＩを決定するステップと、（Ｂ）前記（Ａ）で決定したＴＳＴＩを有する対応する時間スライスデータサブセットが、前記（ｄ）で決定した最も遅いＴＳＴＩより早いＦＶＴＩデータストリングを具えるか、これをポインタで表している各フィールドについて前記時系列データセットの電子クエリからのフィールドを除外し、含んでいる又は表示されたＦＶＴＩデータストリングを最も遅いＴＳＴＩとして認識するステップを具えることを特徴とするコンピュータに実装した方法。
【請求項１９】
請求項１６に記載のコンピュータに実装した方法において、上記（ｅ）の認識が、複数の規定したデータフィールドの各々について、プログラムされたコンピュータシステムの一又はそれ以上の電子プロセッサを用いて、新しい指定したＴＳＴＩより遅い対応ＴＳＴＩを有する対応する時間スライスデータサブセットが、前記（ｄ）で決定した最も遅いＴＳＴＩより早いＦＶＴＩデータストリングを具えるか、これをポインタで表している各フィールドについて、前記時系列データセットの電子クエリからのフィールドを除外し、含んでいる又は表示されたＦＶＴＩデータストリングを最も遅いＴＳＴＩとして認識するステップを具えることを特徴とするコンピュータに実装した方法。
【請求項２０】
請求項１４に記載のコンピュータに実装した方法が更に：
（ｉ）プログラムされたコンピュータシステムの一又はそれ以上の電子プロセッサを用いて、上記（ｅ）で少なくとも一の対応するＦＶＴＩデータストリングが認識された複数のデータフィールドの指定された各サブセットについて、新しく指定したＴＳＴＩより遅い対応するＴＳＴＩで、新しく指定したＴＳＴＩより早い対応するＴＳＴＩを伴い対応する時間スライスデータサブセット中の対応するＦＶＴＩデータストリング又は関連ＦＶデータストリングを表示する一又はそれ以上のポインタ具える一又はそれ以上の対応する時間スライスデータサブセットを認識するステップと；
（ｊ）上記（ｉ）で認識された一又はそれ以上の各時間スライスデータサブセットについて、プログラムされたコンピュータシステムの一又はそれ以上の電子プロセッサを用いて、一又はそれ以上の対応するポインタを、新しい時間スライスデータセットの対応するＦＶ又はＦＶＴＩデータストリングを表示する一又はそれ以上の対応する新しいポインタで自動的に置き換えるステップと；
（ｋ）コンピュータシステムの一又はそれ以上の電子プロセッサに操作可能に接続されたコンピュータシステムの有形かつ非一時的なコンピュータで読み取り可能な一又はそれ以上の媒体において、上記（ｊ）の置き換えたポインタの電子的兆候を自動的に更新するステップと；
を具えることを特徴とするコンピュータに実装した方法。
【請求項２１】
一又はそれ以上の電子プロセッサと、各々が前記プロセッサの一又はそれ以上に操作可能に接続された一又はそれ以上の有形かつ非一時的なコンピュータで読み取り可能な媒体とを具えるコンピュータシステムにおいて、前記コンピュータシステムが、請求項１４に記載の方法を実行するように構成され、接続され、プログラムされていることを特徴とするコンピュータシステム。
【請求項２２】
コンピュータシステムに適用した時に、当該コンピュータシステムに請求項１４に記載の方法を実行させるインストラクションの電子的兆候でエンコードされた、有形かつ非一時的なコンピュータで読み取り可能な媒体。
【請求項２３】
請求項１４に記載した方法によって生成した複数の時間スライスデータセットの電子的兆候でエンコードした有形かつ非一時的なコンピュータで読み取り可能な媒体。
【請求項２４】
請求項１に記載のコンピュータに実装した方法が、更に：
（ｄ）規定したデータフィールドのうち対応する一つについての新しいＦＶデータストリングと、新しいＦＶデータストリングが取得され、測定され、生成され、あるいは記録された時間の新しいＦＶＴＩを表示する新しい関連ＦＶＴＩデータストリングの電子的兆候を、コンピュータシステムで自動的に受信するステップと；
（ｅ）プログラムされたコンピュータシステムの一又はそれ以上の電子プロセッサを用いて、この新しいＦＶ及びＦＶＴＩデータストリングを時系列データセットに自動的に含めるステップと；
（ｆ）プログラムされたコンピュータシステムの一又はそれ以上の電子プロセッサを用いて、コンピュータシステムの一又はそれ以上の電子プロセッサに操作可能に接続されたコンピュータシステムの一又はそれ以上の有形かつ非一時的なコンピュータで読み取り可能な媒体に、コンピュータで検索可能なフォーマットで、新しいＦＶ及びＦＶＴＩデータストリングの電子的兆候を、時系列データセットの電子的兆候の一部として、自動的に生成し、自動的に保存するステップと；
を具えることを特徴とするコンピュータに実装した方法。
【請求項２５】
請求項２４に記載のコンピュータに実装した方法が、更に：
（ｇ）プログラムされたコンピュータシステムの一又はそれ以上の電子プロセッサを用いて、複数のデータフィールドの複数の指定したサブセットのうちのどれが、上記（ｄ）のデータフィールドを具えるかを自動的に認識し、その指定したサブセットに対応する時間スライスデータサブセットを認識するステップと；
（ｈ）プログラムされたコンピュータシステムの一又はそれ以上の電子プロセッサを用いて、新しいＦＶＴＩより遅い、最も早いＴＳＴＩを自動的に決定するステップと；
（ｉ）上記（ｄ）のデータフィールドについて上記（ｇ）で認識した時間スライスデータサブセット中のポインタを有する時間スライスデータセットに対応する上記（ｈ）で認識した各ＴＳＴＩについて、プログラムされたコンピュータシステムの一又はそれ以上の電子プロセッサを用いて、そのポインタを、上記（ｄ）のデータフィールドについての新しいＦＶデータストリングと関連する新しいＦＶＴＩデータストリングで自動的に置き換えるステップと；
（ｊ）プログラムされたコンピュータシステムの一又はそれ以上の電子プロセッサを用いて、上記（ｈ）で決定したＴＳＴＩより遅いＴＳＴＩに対応し、上記（ｄ）のフィールドについて、新しいＦＶＴＩより早いＦＶＴＩデータストリング又は新しいＦＶＴＩより早いＦＶＴＩデータストリングを表示するポインタを具え、上記（ｇ）で認識された各時間スライスデータサブセットについて、時間スライスデータサブセットにおいて、より早いＦＶＴＩデータストリング、関連するＦＶデータストリング、あるいは一又はそれ以上のポインタを、新しいＦＶＴＩデータストリング、関連する新しいＦＶデータストリング、あるいは上記（ｉ）の時間スライスデータサブセットでこれらの新しいデータストリングを表示する一又はそれ以上のポインターで自動的に置き換えるステップと；
（ｋ）コンピュータシステムの一又はそれ以上の電子プロセッサに操作可能に接続されたコンピュータシステムの、一又はそれ以上の有形かつ非一時なコンピュータで読み取り可能な媒体に、上記（ｉ）及び（ｊ）で交換した時間スライスデータサブセットの電子的兆候を、コンピュータで検索可能なフォーマットで自動的に生成し、自動的に保存するステップと；
を具えることを特徴とするコンピュータに実装した方法。
【請求項２６】
請求項２４に記載のコンピュータに実装した方法が、更に：
（ｇ）プログラムされたコンピュータシステムの一又はそれ以上の電子プロセッサを用いて、複数のデータフィールドの複数の指定したサブセットのどれが、上記（ｄ）のデータフィールドを具えているかを認識し、指定したサブセットに対応する時間スライスデータサブセットを認識するステップと；
（ｈ）プログラムされたコンピュータシステムの一又はそれ以上の電子プロセッサを用いて、新しいＦＶＴＩより遅い、最も早いＴＳＴＩを自動的に決定するステップと；
（ｉ）プログラムされたコンピュータシステムの一又はそれ以上の電子プロセッサを用いて、上記（ｈ）で決定したＴＳＴＩより遅いＴＳＴＩに対応し、上記（ｄ）のフィールドについて新しいＦＶＴＩより早いＦＶＴＩについてのＦＶＴＩデータストリングを具える、上記（ｇ）で認識した時間スライスデータサブセットについて、時間スライスデータサブセットにおいて、より早いＦＶＴＩデータストリングを新しいＦＶＴＩデータストリングで、より早いＦＶデータストリングを新しいＦＶデータストリングで自動的に置き換えるステップと；
（ｊ）上記（ｇ）で認識した時間スライスデータセットにポインタを有する時間スライスデータセットに対応する上記（ｈ）で認識した各ＴＳＴＩについて、プログラムされたコンピュータシステムの一又はそれ以上の電子プロセッサを用いて、そのポインタを、上記（ｇ）で認識した指定したサブセットのデータフィールドの各々について、上記（ｄ）のデータフィールドについての新しいＦＶデータストリングと関連するＦＶＴＩデータストリングを含む対応するＦＶデータストリングと、上記（ｈ）で認識したＴＳＴＩより早い、最も遅いＦＶＴＩに対応する関連ＦＶＴＩデータストリングで自動的に置き換えるステップと；
（ｋ）プログラムされたコンピュータシステムの一又はそれ以上の電子プロセッサを用いて、上記（ｈ）で決定したＴＳＴＩより遅いＴＳＴＩに対応し、上記（ｈ）で決定したＴＳＴＩより早いＴＳＴＩに対応する時間スライスデータセット中の時間スライスデータサブセットを表示するポインタを具える各時間スライスデータセットの各対応する時間スライスデータサブセットを自動的に認識するステップと；
（ｌ）上記（ｋ）で認識した各時間スライスデータサブセットについて、プログラムされたコンピュータシステムの一又はそれ以上の電子プロセッサを用いて、対応するポインタを、上記（ｈ）で決定されたＴＳＴＩに対応する時間スライスデータセットの対応する時間スライスデータサブセットを表示する対応する新しいポインタで自動的に置き換えるステップと；
（ｍ）上記（ｉ）（ｊ）及び（ｌ）で置き換えた時間スライスデータサブセットの電子的兆候を、コンピュータシステムの一又はそれ以上の電子プロセッサに操作可能に接続されたコンピュータシステムの、一又はそれ以上の有形かつ非一時なコンピュータで読み取り可能な媒体に、コンピュータで検索可能なフォーマットで自動的に生成し、自動的に保存するステップと；
を具えることを特徴とするコンピュータに実装した方法。
【請求項２７】
一又はそれ以上の電子プロセッサと、各々が前記プロセッサの一又はそれ以上に操作可能に接続された一又はそれ以上の有形で非一時的なコンピュータで読み取り可能な媒体とを具えるコンピュータシステムにおいて、前記コンピュータシステムが、請求項２４に記載の方法を実行するように構成され、接続され、プログラムされていることを特徴とするコンピュータシステム。
【請求項２８】
コンピュータシステムに適用した時に、当該コンピュータシステムに請求項２４に記載の方法を実行させるインストラクションの電子的兆候でエンコードされた、有形で非一時的なコンピュータで読み取り可能な媒体。
【請求項２９】
請求項２４に記載した方法によって生成した複数の時間スライスデータセットの電子的兆候でエンコードした有形で非一時的なコンピュータで読み取り可能な媒体。
【請求項３０】
請求項１に記載のコンピュータに実装した方法において、前記複数の時間スライスデータセットの対応するＴＳＴＩは、不規則な時間間隔で空けられることを特徴とする方法。
【請求項３１】
請求項１に記載のコンピュータに実装した方法において、前記複数のデータフィールドの各々の対応するＦＶＴＩは、それぞれのデータフィールドについて連続するＦＶＴＩ間の規則的または不規則な時間間隔において、複数のデータフィールドの少なくとも他の一つの対応するＦＶＴＩと異なることを特徴とする方法。
【請求項３２】
時系列データセットを検索またはフィルタリングする、コンピュータに実装した方法において：
（ａ）（ｉ）コンピュータシステムの一又はそれ以上の有形で非一時的なコンピュータで読み取り可能な媒体に、コンピュータで検索可能なフォーマットで、時系列データセットの電子的兆候が保存されており、（ｉｉ）複数の規定したデータフィールドの各々について、時系列データセットが一又はそれ以上の対応するフィールド値（ＦＶ）データストリングを具えており、（ｉｉｉ）時系列データセットが、複数のフィールド値時間インデックス（ＦＶＴＩ）データストリングを具えており、（ｉｖ）ＦＶデータストリングの各々が、ＦＶデータストリングで表される情報が取得され、測定され、生成され、あるいは記録された時間を表示する複数のＦＶＴＩデータストリングのうちの対応する一つに関連しており；
（ｂ）（ｉ）複数の時間スライスデータセットの電子的兆候が、コンピュータシステムの一又はそれ以上の有形かつ非一時的なコンピュータで読み取り可能な媒体に、コンピュータで検索可能なフォーマットで保存され、（ｉｉ）複数の時間スライスデータセットの各々が、指定された時間スライス時間インデックス（ＴＳＴＩ）に対応しており、これは、他の複数の時間スライスデータセットの少なくとも一つの対応するＴＳＴＩと異なり、（ｉｉｉ）複数の規定したデータフィールドの複数の指定したサブセットの各々について、各時間スライスデータセットが、対応する時間スライスデータサブセットを具え、（ｉｖ）各時間スライスデータサブセットが、複数のデータフィールドの対応する指定したサブセットの各データフィールドについて、（Ａ）時系列データセットからの対応する単一ＦＶデータストリングか、あるいは直接的にあるいは一又はそれ以上の中間ポインタを介して、より早いＴＳＴＩを伴う対応する時間スライスデータサブセット中の対応するＦＶデータストリングを表示するポインタのいずれか、及び（Ｂ）上記（Ａ）に記載された又は表示されたＦＶデータストリングについて、時系列データセットからの関連するＦＶＴＩデータストリングか、あるいは、直接にあるいは一又はそれ以上の中間ポインタを介して、より早いＴＳＴＩを伴う対応する時間スライスデータサブセット中の対応する関連ＦＶＴＩデータストリングを表示するポインタのいずれか、を具え、（ｖ）各時間スライスデータサブセットに含まれる又はそのポインタで表示される各ＦＶＴＩデータストリングが、関連ＦＶデータストリングについて、時間スライスデータサブセットのＴＳＴＩより早く、時系列データセット中の最も遅いＦＶＴＩを表しており、
当該方法が：
（Ａ）クエリ中で特定した複数のデータフィールドのクエリを行ったサブセットの、ＦＶデータストリングに関する、リスト、表、グラフ、ディスプレイ、又は一覧表についての電子クエリをコンピュータシステムで受信するステップであって、ＦＶデータストリングが、クエリ時間インデックス（ＱＴＩ）より早い、最も遅い関連するＦＶＴＩデータストリングを有する、ステップと；
（Ｂ）プログラムされたコンピュータシステムの一又はそれ以上の電子プロセッサを用いて、クエリを行ったサブセットの各フィールドについて、ＱＴＩより早い対応する最も遅いＦＶＴＩデータストリングを自動的に認識するステップと；
（Ｃ）プログラムされたコンピュータシステムの一又はそれ以上の電子プロセッサを用いて、上記（Ｂ）で認識したＦＶＴＩデータストリングを、又は上記（Ｂ）で認識したＦＶＴＩデータストリングに関連するＦＶデータストリングを自動的に電子的問い合わせを行うステップと；
（Ｄ）プログラムされたコンピュータシステムの一又はそれ以上の電子プロセッサ、ディスプレイ、又は有形で非一時的なコンピュータで読み取り可能な媒体を用いて、上記（Ｃ）で問い合わせたＦＶ又はＦＶＴＩデータストリング中の、ＦＶまたはＦＶＴＩデータストリングをリスト化、作表、グラフ化、表示あるいは一覧表化するステップであって上記（Ａ）のクエリに含まれる一又はそれ以上の検索又はフィルタ基準を満たしている、ステップとを具え、
（Ｅ）上記（Ｂ）の認識が、時系列データセットの電子的兆候を自動的に電子クエリして、ＱＴＩより早い一又はそれ以上の対応する最も遅いＦＶＴＩデータストリングを認識するステップを具え、
当該方法が更に：
（Ｆ）プログラムされたコンピュータシステムの一又はそれ以上の電子プロセッサを用いて、（ｉ）ＱＴＩより早い時間スライスデータセット中の最も遅いＴＳＴＩを決定するステップと、（ｉｉ）上記（Ｆ）（ｉ）で決定したＴＳＴＩより遅く、ＱＴＩより早い時系列データセットでＦＶＴＩが認識されなかった、クエリを行った各フィールドを認識するステップと、（ｉｉｉ）上記（Ｆ）（ｉｉ）で認識されたクエリを行った各フィールドを、時系列データセットの電子クエリから除外するステップと、（ｉｖ）上記（Ｆ）（ｉｉ）で認識されたクエリを行った各フィールドについて、上記（Ｆ）（ｉ）で決定したＴＳＴＩを有する対応する時間スライスデータサブセットに含まれる、あるいはそのポインタによって表示されるＦＶＴＩデータストリングを、最も遅いＦＶＴＩデータストリングとして認識するステップ；
（Ｇ）プログラムされたコンピュータシステムの一又はそれ以上の電子プロセッサを用いて、（ｉ）ＱＴＩより遅い時間スライスデータセット中の最も早いＴＳＴＩを自動的に決定するステップと、（ｉｉ）上記（Ｇ）（ｉ）で決定したＴＳＴＩを有する対応する時間スライスデータサブセットが、ＦＶＴＩデータストリングを表示するポインタを具える、クエリを行った各フィールドを認識するステップと、（ｉｉｉ）上記（Ｇ）（ｉｉ）で認識されたクエリを行った各フィールドを、時系列データセットの電子クエリから除外するステップと、（ｉｖ）上記（Ｇ）（ｉｉ）で認識されたクエリを行った各フィールドについて、ポインタによって表示される対応するＦＶＴＩデータストリングを、最も遅いＦＶＴＩデータストリングとして認識するステップ；
（Ｈ）プログラムされたコンピュータシステムの一又はそれ以上の電子プロセッサを用いて、（ｉ）ＱＴＩより遅い時間スライスデータセット中の最も早いＴＳＴＩを決定するステップと、（ｉｉ）上記（Ｈ）（ｉ）で決定したＴＳＴＩを有する対応する時間スライスデータサブセットが、ＱＴＩより早いＦＶＴＩデータストリングを含むか、またはそのＦＶＴＩデータストリングをポインタによって表示する、クエリを行った各フィールドを認識するステップと、（ｉｉｉ）上記（Ｈ）（ｉｉ）で認識されたクエリを行った各フィールドを、時系列データセットの電子クエリから除外するステップと、（ｉｖ）上記（Ｈ）（ｉｉ）で認識されたクエリを行った各フィールドについて、含まれたまたは表示されたＦＶＴＩデータストリングを、最も遅いＦＶＴＩデータストリングとして認識するステップ；または、
（Ｉ）プログラムされたコンピュータシステムの一又はそれ以上の電子プロセッサを用いて、（ｉ）ＱＴＩより遅い対応するＴＳＴＩを有する、対応する時間スライスデータサブセットが、ＱＴＩより早いＦＶＴＩデータストリングを含むか、またはそのＦＶＴＩデータストリングをポインタによって表示する、クエリを行った各フィールドを認識するステップと、（ｉｉ）上記（Ｉ）（ｉ）で認識されたクエリを行った各フィールドを、時系列データセットの電子クエリから除外するステップと、（ｉｉｉ）上記（Ｉ）（ｉ）で認識されたクエリを行った各フィールドについて、含まれたまたは表示されたＦＶＴＩデータストリングを、最も遅いＦＶＴＩデータストリングとして認識するステップ
のうち一またはそれ以上を具えることを特徴とするコンピュータに実装した方法。
【請求項３３】
請求項３２に記載のコンピュータに実装した方法が、更に、プログラムされたコンピュータシステムの一又はそれ以上の電子プロセッサを用いて、（ｉ）ＱＴＩより早い時間スライスデータセット中の最も遅いＴＳＴＩを決定するステップと、（ｉｉ）上記（ｉ）で決定したＴＳＴＩより遅くＱＴＩより早い時系列データセットでＦＶＴＩが認識されなかったクエリを行った各フィールドを認識するステップと、（ｉｉｉ）上記（ｉｉ）で認識されたクエリを行った各フィールドを時系列データセットの電子クエリから除外するステップと、（ｉｖ）上記（ｉ）で決定したＴＳＴＩを有する対応する時間スライスデータに含まれる、あるいはそのポインタによって表示されるＦＶＴＩデータストリングを、最も遅いＦＶＴＩデータストリングとして認識するステップと、を具えることを特徴とするコンピュータに実装した方法。
【請求項３４】
請求項３２に記載のコンピュータに実装した方法が更に、プログラムされたコンピュータシステムの一又はそれ以上の電子プロセッサを用いて、（ｉ）ＱＴＩより遅い時間スライスデータセット中の最も早いＴＳＴＩを決定するステップと、（ｉｉ）上記（ｉ）で決定したＴＳＴＩを伴う対応する時間スライスデータサブセットが、ＦＶＴＩデータストリングを表示するポインタを具えるクエリを行った各フィールドを認識するステップと、（ｉｉｉ）上記（ｉｉ）で認識されたクエリを行った各フィールドを時系列データセットの電子クエリから除外するステップと、（ｉｖ）上記（ｉｉ）で認識されたクエリを行った各フィールドについて、ポインタによって表示されるＦＶＴＩデータストリングを、最も遅いＦＶＴＩデータストリングとして認識するステップと、を具えることを特徴とするコンピュータに実装した方法。
【請求項３５】
請求項３２に記載のコンピュータに実装した方法が更に、プログラムされたコンピュータシステムの一又はそれ以上の電子プロセッサを用いて、（ｉ）ＱＴＩより遅い時間スライスデータセット中の最も早いＴＳＴＩを決定するステップと、（ｉｉ）上記（ｉ）で決定したＴＳＴＩを伴う対応する時間スライスデータサブセットが、ＱＴＩより早いＦＶＴＩデータストリングを含む、あるいはポインタで表示する、クエリを行った各フィールドを認識するステップと、（ｉｉｉ）上記（ｉｉ）で認識されたクエリを行った各フィールドを時系列データセットの電子クエリから除外するステップと、（ｉｖ）上記（ｉｉ）で認識されたクエリを行った各フィールドについて、含まれている又は表示されたＦＶＴＩデータストリングを最も遅いＦＶＴＩデータストリングとして認識するステップと、を具えることを特徴とするコンピュータに実装した方法。
【請求項３６】
請求項３２に記載のコンピュータに実装した方法が更に、プログラムされたコンピュータシステムの一又はそれ以上の電子プロセッサを用いて、（ｉ）ＱＴＩより遅い対応するＴＳＴＩを有する対応する時間スライスデータサブセットが、ＱＴＩより早いＦＶＴＩデータストリングを含む、あるいはポインタで表示する、クエリを行った各フィールドを認識するステップと、（ｉｉ）上記（ｉ）で認識されたクエリを行った各フィールドを時系列データセットの電子クエリから除外するステップと、（ｉｉｉ）上記（ｉ）で認識されたクエリを行った各フィールドについて、含まれている又は表示されたＦＶＴＩデータストリングを最も遅いＦＶＴＩデータストリングとして認識するステップと、を具えることを特徴とするコンピュータに実装した方法。
【請求項３７】
請求項３２に記載のコンピュータに実装した方法において、ＱＴＩによって表示される時間と同じ時間を表示するＦＶＴＩが、ＱＴＩより早いとして処理されるＦＶＴＩ中に含まれており、ＱＴＩによって表示される時間と同じ時間を表示するＴＳＴＩが、ＱＴＩより早いとして処理されるＴＳＴＩ中に含まれることを特徴とするコンピュータに実装した方法。
【請求項３８】
請求項３２に記載のコンピュータに実装した方法において、ＱＴＩによって表示される時間と同じ時間を表示するＦＶＴＩが、ＱＴＩより遅いとして処理されるＦＶＴＩ中に含まれており、ＱＴＩによって表示される時間と同じ時間を表示するＴＳＴＩが、ＱＴＩより遅いとして処理されるＴＳＴＩ中に含まれることを特徴とするコンピュータに実装した方法。
【請求項３９】
請求項３２に記載のコンピュータに実装した方法において、ＱＴＩによって表示される時間と同じ時間を表示するＦＶＴＩが、ＱＴＩより早いとして処理されるＦＶＴＩ中に含まれており、ＱＴＩによって表示される時間と同じ時間を表示するＴＳＴＩが、ＴＳＴＩより遅いＱＴＩ中に含まれることを特徴とするコンピュータに実装した方法。
【請求項４０】
請求項３２に記載のコンピュータに実装した方法において、ＱＴＩによって表示される時間と同じ時間を表示するＦＶＴＩが、ＱＴＩより遅いＦＶＴＩ中に含まれており、ＱＴＩによって表示される時間と同じ時間を表示するＴＳＴＩが、ＱＴＩより早いＴＳＴＩ中に含まれることを特徴とするコンピュータに実装した方法。。
【請求項４１】
請求項３２に記載のコンピュータに実装した方法において：
（ｉ）上記（Ｂ）の認識が、対応する追加のＴＳＴＩを伴う一又はそれ以上の追加の時間スライスデータセットを自動的に生成するステップを具え、
（ｉｉ）上記（Ｃ）の問い合わせが、（１）一又はそれ以上の追加の時間スライスデータセットに含まれる、あるいはその対応するポインタによって表示されるＦＶデータストリング、あるいは（２）一又はそれ以上の追加の時間スライスデータセットに含まれる、あるいはその対応するポインタによって表示されるＦＶＴＩデータストリングに、自動的に問い合わせを行うステップを具える、
ことを特徴とするコンピュータに実装した方法。
【請求項４２】
請求項４１に記載のコンピュータに実装した方法において、一又はそれ以上の追加の時間スライスデータセットが、複数の時間スライスデータセットを変更することなく生成されることを特徴とするコンピュータに実装した方法。
【請求項４３】
請求項４１に記載のコンピュータに実装した方法において、一又はそれ以上の追加の時間スライスデータセットが、ＱＴＩで表示される時間を表示する対応する追加のＴＳＴＩを有することを特徴とするコンピュータに実装した方法。
【請求項４４】
請求項４１に記載のコンピュータに実装した方法が更に：
（ｉｉｉ）同じＱＴＩを有する上記（Ａ）の複数の異なる電子クエリを受信するステップと；
（ｉｖ）受信した各クエリについて、（１）追加の時間スライスデータセットに含まれる、あるいはその対応するポインタによって表示されるＦＶストリングデータ、又は、（２）追加の時間スライスデータセットに含まれる、あるいはその対応するポインタによって表示されるＦＶＴＩデータストリングに、自動的に問い合わせを行うステップと；
（ｖ）各受信したクエリについて、上記（ｉｉｉ）の対応するクエリに含まれる一又はそれ以上の検索又はフィルタ基準を満足する、上記（ｉｖ）で問い合わせを行ったＦＶ又はＦＶＴＩデータストリング中のＦＶ又はＦＶＴＩデータストリングを、リスト化、作表、グラフ化、表示あるいは一覧表化するステップと、
を具えることを特徴とするコンピュータに実装した方法。
【請求項４５】
請求項４４に記載のコンピュータに実装した方法が更に、一又はそれ以上の追加の時間スライスデータセットを不活性化するステップを具えることを特徴とするコンピュータに実装した方法。
【請求項４６】
一又はそれ以上の電子プロセッサと、各々が一又はそれ以上のプロセッサと操作可能に接続された一又はそれ以上の有形で非一時的なコンピュータで読み取り可能な媒体とを具えるコンピュータシステムにおいて、このコンピュータシステムは請求項３２に記載の方法を実行するように構成され、接続され、プログラムされていることを特徴とするコンピュータに実装した方法。
【請求項４７】
コンピュータシステムに適用されたときに、請求項３２に記載の方法をコンピュータシステムに実行させる指示の電子的兆候でエンコードされた、有形で非一時的なコンピュータで読み取り可能な媒体。
【請求項４８】
請求項３２に記載のコンピュータに実装した方法において、前記複数の時間スライスデータセットの対応するＴＳＴＩは、不規則な時間間隔で空けられることを特徴とする方法。
【請求項４９】
請求項３２に記載のコンピュータに実装した方法において、前記複数のデータフィールドの各々の対応するＦＶＴＩは、それぞれのデータフィールドについて連続するＦＶＴＩ間の規則的または不規則な時間間隔において、複数のデータフィールドの少なくとも他の一つの対応するＦＶＴＩと異なることを特徴とする方法。